(57)【要約】【課題】  回動させた表示部を通じて被写体である操作者本人を確認しながら撮影できる折り畳み型携帯電話機を提供する。【解決手段】  ＬＣＤ表示部６は、表示部ヒンジ７の中心軸を軸にカメラ３と同面を向くように１８０°回動する仕組みになっている。したがって、ＬＣＤ表示部６を表示部ヒンジ７の中心軸を軸に回動させることで、操作者は、ＬＣＤ表示部６に表示される被写体である操作者本人の画像を確認しながら撮影することができる。また、ＬＣＤ表示部６を回動させ、操作者本人を撮影する場合は、下部筐体２の側面に設けられたサイドキー１０によってカメラ３を起動し、カメラ３のシャッターを切ることができる。よって、ＬＣＤ表示部６を回動させた場合であっても、操作者は確実にカメラ３のシャッターを切ることができる。【選択図】  図１
2005252343.tif 000002
【特許請求の範囲】
【請求項１】
操作部を有する下部筐体と、表示部を表面に有する上部筐体と、前記上部筐体の裏面に設けられた被写体を撮影する撮影手段とを有し、前記上部筐体と前記下部筐体が前記表示部と前記操作部とを有する表面が対面して折り畳める折り畳み型携帯電話機において、
前記表示部は、前記上部筐体のいずれかの辺の周縁部を枢軸として回動自在に設置されていることを特徴とする折り畳み型携帯電話機。
【請求項２】
前記上部筐体の裏面に光を照射する照射手段を有することを特徴とする請求項１項記載の折り畳み型携帯電話機。
【請求項３】
前記表示部は、ヒンジを用いて前記上部筐体のいずれかの辺の周縁部を枢軸として回動することを特徴とする請求項１又は２記載の折り畳み型携帯電話機。
【請求項４】
前記上部筐体は、前記表示部との周縁に凹部を有することを特徴とする請求項１から３のいずれか１項記載の折り畳み型携帯電話機。
【請求項５】
前記表示部が回動したことを検出する検出手段を有することを特徴とする請求項１から４のいずれか１項記載の折り畳み型携帯電話機。
【請求項６】
前記検出手段によって前記表示部の回動が検出されたとき、前記表示部に表示される画像のサイズを変更する手段を有することを特徴とする請求項１から５のいずれか１項記載の折り畳み型携帯電話機。
【請求項７】
前記照射手段による光の照射のＯＮ／ＯＦＦを切り換えるスイッチを前記操作部及び前記下部筐体の側面に有することを特徴とする請求項１から６のいずれか１項記載の折り畳み型携帯電話機。
【請求項８】
前記撮影手段によって前記被写体を撮影するスイッチを前記操作部及び前記下部筐体の側面に有することを特徴とする請求項１から７のいずれか１項記載の折り畳み型携帯電話機。
【請求項９】
前記表示部を回動させる動力源を有することを特徴とする請求項１から８のいずれか１項記載の折り畳み型携帯電話機。
【請求項１０】
前記上部筐体と前記下部筐体とが折り畳まれたとき、前記表示部の情報を表示し続けることを特徴とする請求項１から９のいずれか１項記載の折り畳み型携帯電話機。
【発明の詳細な説明】
【技術分野】
【０００１】
本発明は、折り畳み型携帯電話機に関し、特に、折り畳まれる上部筐体に備えられた表示部を回動できる折り畳み型携帯電話機に関する。
【背景技術】
【０００２】
近年、携帯電話機は、メール機能、画像表示機能等を備え、高機能化や多機能化され、通話だけでなく、電子メールやゲームなど、いろいろなアプリケーションを利用できるようになった。さらに、現状において、ほとんどの携帯電話機にカメラが標準装備となっている。その用途としては、カメラで撮影した静止画又は動画を電子メールで友達に送信したり、自機の液晶ディスプレイのスタインバイ画面に使用したりして利用されている。その際、操作者が携帯電話機で操作者本人を撮影する機会も多い。
【０００３】
従来、カメラが備えられている携帯電話機は、レンズが搭載されている面にも表示部を取り付け、操作者が操作者自身を撮影する際、その表示部を参照しながら撮影することで、操作者本人の撮影を可能としていた。
【０００４】
特許文献１は、上部筐体の表面及び背面の両方に表示部を有する折り畳み型携帯電話機において、表示部に関する部品点数を削減することにより、部品費用や組立費用のコストダウンを図り、かつ、小型化を可能とした携帯電話機を提案している。
【０００５】
特許文献２は、カメラをヒンジ部によって本体の一部を軸にして回動可能な構成とすることにより、被写体を写す液晶表示部と同方向又は反対方向に向けることを可能としたカメラ付き携帯電話機を提案している。したがって、操作者は、カメラ及び液晶表示部を同方向に向けることで、液晶表示部で被写体である操作者本人を確認しつつ撮影することができる。
【０００６】
特許文献３は、メールを読み書きする場合又は通話する場合等、用途に応じて利用し易いように、上部筐体を複数の方向に開閉することができる折り畳み型の携帯電話を提案している。具体的には、折り畳み型の携帯電話機は、通話しやすいように開いたときに、縦長になるのが一般的である。しかし、縦長の一方向のみへの開閉では、メールを読み書きする場合、文字の入力などが困難である。そこで、複数の方向に開閉することにより、上記の問題を解決している。
【特許文献１】特開２００３−１８８９５９号公報
【特許文献２】特開２００３−１５８７２７号公報
【特許文献３】特開２００３−６０７５９号公報
【発明の開示】
【発明が解決しようとする課題】
【０００７】
しかし、上記の発明には以下に述べる問題がある。
【０００８】
操作キーや制御装置などを備えた面に設けられた表示部の他に、カメラのレンズが備えられている面にも表示部を設けた携帯電話機は、表示部が２つ取り付けられるため、携帯電話機に求められている薄型化が困難である。
【０００９】
特許文献１記載の発明は、上部筐体の表面及び背面の両方に表示部を設けた折り畳み型携帯電話を提案しているが、背面の表示部は、着信時の電話番号の表示など簡易な情報を表示することにとどまり、カメラで撮影した映像を表示することはできない。また、両面に表示部を設けているため、折り畳み型携帯電話機の薄型化の要望に応えられない。
【００１０】
特許文献２記載の発明は、カメラをヒンジ部によって本体の一部を軸にしてカメラ自体又は携帯電話機本体を回動させることにより、表示部を参照しながら操作者自身の撮影を可能としており、表示部自体を回動させることはできない。また、カメラと携帯電話機本体とが一体化された構造になっていない。
【００１１】
特許文献３記載の発明は、上部筐体を複数の方向に開閉する際、上部筐体全体が開閉する構成となっている。よって、仮に上部筐体にカメラを設けた場合、上部筐体が開閉する動作に伴いカメラ自体も移動してしまうため、操作者が被写体である操作者自身を表示部で確認しつつ撮影することができない。
【００１２】
そこで、本発明は、カメラと一体化した折り畳み型携帯電話機において、カメラが撮影する映像を表示する表示部自体を回動させることで、表示部を通じて被写体である操作者本人を確認しながら撮影できる折り畳み型携帯電話機を提供することを目的としている。
【課題を解決するための手段】
【００１３】
請求項１記載の発明は、操作部を有する下部筐体と、表示部を表面に有する上部筐体と、前記上部筐体の裏面に設けられた被写体を撮影する撮影手段とを有し、前記上部筐体と前記下部筐体が前記表示部と前記操作部とを有する表面が対面して折り畳める折り畳み型携帯電話機において、前記表示部は、前記上部筐体のいずれかの辺の周縁部を枢軸として回動自在に設置されていることを特徴とする。
【００１４】
請求項２記載の発明は、請求項１記載の折り畳み型携帯電話機において、前記上部筐体の裏面に光を照射する照射手段を有することを特徴とする。
【００１５】
請求項３記載の発明は、請求項１又は２記載の折り畳み型携帯電話機において、前記表示部は、ヒンジを用いて前記上部筐体のいずれかの辺の周縁部を枢軸として回動することを特徴とする。
【００１６】
請求項４記載の発明は、請求項１から３のいずれか１項記載の折り畳み型携帯電話機において、前記上部筐体は、前記表示部との周縁に凹部を有することを特徴とする。
【００１７】
請求項５記載の発明は、請求項１から４のいずれか１項記載の折り畳み型携帯電話機において、前記表示部が回動したことを検出する検出手段を有することを特徴とする。
【００１８】
請求項６記載の発明は、請求項１から５のいずれか１項記載の折り畳み型携帯電話機において、前記検出手段によって前記表示部の回動が検出されたとき、前記表示部に表示される画像のサイズを変更する手段を有することを特徴とする。
【００１９】
請求項７記載の発明は、請求項１から６のいずれか１項記載の折り畳み型携帯電話機において、前記照射手段による光の照射のＯＮ／ＯＦＦを切り換えるスイッチを前記操作部及び前記下部筐体の側面に有することを特徴とする。
【００２０】
請求項８記載の発明は、請求項１から７のいずれか１項記載の折り畳み型携帯電話機において、前記撮影手段によって前記被写体を撮影するスイッチを前記操作部及び前記下部筐体の側面に有することを特徴とする。
【００２１】
請求項９記載の発明は、請求項１から８のいずれか１項記載の折り畳み型携帯電話機において、前記表示部を回動させる動力源を有することを特徴とする。
【００２２】
請求項１０記載の発明は、請求項１から９のいずれか１項記載の折り畳み型携帯電話機において、前記上部筐体と前記下部筐体とが折り畳まれたとき、前記表示部の情報を表示し続けることを特徴とする。
【発明の効果】
【００２３】
本発明は、カメラと一体化した折り畳み型携帯電話機において、カメラが撮影する映像を表示する表示部を折り畳み携帯電話機本体と２点で支持されたヒンジ部を軸として回動させることで、操作者は、被写体である操作者本人を確認しつつ撮影することができる。さらに、被写体を表示する表示部が一枚であるため、折り畳み型携帯電話機の薄型化を実現できる。
【発明を実施するための最良の形態】
【００２４】
本発明は、カメラと一体化した折り畳み型携帯電話機において、カメラが撮影する映像を表示する表示部を折り畳み携帯電話機本体と２点で支持されたヒンジ部を軸として回動させる。また、折り畳み型携帯電話の下部筐体の側面にカメラのシャッターボタン及びライトボタンを設けることで、誤った操作を防止できる。
【実施例】
【００２５】
図１、図３、及び図５に本発明を適用した折り畳み型携帯電話機の概略図を示す。本発明を適用した折り畳み型携帯電話機は、上部筐体１及び下部筐体２からなる。上部筐体１は、上部筐体１の背面に設けられたカメラ３とライト４、カメラ３で撮影した映像を表示するカメラ表示画面５、カメラ表示画面を有するＬＣＤ表示部６、ＬＣＤ表示部６の回動を支持する表示部ヒンジ７、及びＬＣＤ表示部６の開閉を検知する検出スイッチ１０からなる。一方、下部筐体２は、折り畳み型携帯電話を操作するキー操作部８、及び下部筐体２の側面に設けられたカメラ３のシャッターとライト４とを操作するサイドキー９からなる。
【００２６】
折り畳み型携帯電話機とＬＣＤ表示部６とを接続する表示部ヒンジ７の拡大図を図６に示す。図６に示すように、ＬＣＤ表示部６と折り畳み型携帯電話機本体とを接続する表示部ヒンジ７は、折り畳み型携帯電話機に２点で固定された中心軸の回りを回動できる仕組みになっている。表示部ヒンジ７は、ＬＣＤ表示部６と一体化しており、表示部ヒンジ６が回動するとともに、ＬＣＤ表示部６も回動する。
【００２７】
図２は、折り畳み型携帯電話機を開いた状態でカメラ３を起動させ、ＬＣＤ表示部６のみが表示部ヒンジ７を利用して回動する動作を示す。図１に示すようにＬＣＤ表示部６の図面に向かって左側には凹部が設けられており、操作者は凹部を利用してＬＣＤ表示部６を上部筐体から持ち上げ、表示部ヒンジ７を軸に回動させる。なお、ＬＣＤ表示部６の回動は、手動ではなく自動で回動させることも可能である。ＬＣＤ表示部６は、表示部ヒンジ７の中心軸を軸にカメラ３と同面を向くように１８０°回動する仕組みになっている。図３は、ＬＣＤ表示部６をカメラ３と同面に１８０°回動させた様子を示している。上部筐体１の背面には、カメラ３及びライト９が取り付けられている。したがって、ＬＣＤ表示部６を表示部ヒンジ７の中心軸を軸に１８０°回動させると、操作者は、カメラ３から取り込まれる画像をＬＣＤ表示部６で操作者本人を確認しながら撮影することができる。なお、図３の状態において、操作者が操作者本人を撮影する場合、操作者からキー操作部８を確認できないため、図３に示すように下部筐体２の側面部にカメラ３のシャッターとライト４とを操作するサイドキー９が設けられている。
【００２８】
次に、操作者本人を撮影する具体的な動作を図４を用いて説明する。まず、操作者は、折り畳み型携帯電話機に装備されるカメラ３を起動する（ステップＳ４０１）。そして、操作者本人を撮影する場合は、ＬＣＤ表示部６をカメラ３と同面に回動させる（ステップＳ４０２）。ＬＣＤ表示部６が表示部ヒンジ７を軸に回動すると検出スイッチ１０によって検知する。検出スイッチ１１がＯＮのとき、ＬＣＤ表示部６は、回動しておらず、キー操作部８と同面にある。一方、検出スイッチ１０がＯＦＦのとき、ＬＣＤ表示部６は、表示部ヒンジ７を軸に回動した状態にある。よって、折り畳み型携帯電話機は、検出スイッチがＯＮからＯＦＦに変化したとき、ＬＣＤ表示部６が表示部ヒンジ７の中心軸を軸に回動したと認識する（ステップＳ４０３）。ＬＣＤ表示部６の回動が認識されると（ステップＳ４０３）、上部筐体１とＬＣＤ表示部６とが重なった部分にカメラ３で撮影された画像が表示されないように、ＬＣＤ表示部６の表示サイズを変更する（ステップＳ４０４）。ここで、ＬＣＤ表示部６内の表示サイズとは、ＬＣＤ表示部６に表示される画像のサイズのことを言い、実際に撮影された画像のサイズとは異なる。操作者は、カメラ３と同面に回動したＬＣＤ表示部６に表示された画像を確認しながら、下部筐体２の側面に設けられたサイドキー１０により画像を撮影する（ステップＳ４０５）。先にも述べたように、サイドキー１０は２つあり、１つはカメラ３のシャッターとして、もう１つはライトの点灯／消灯を操作できる。なお、カメラ３は、シャッターのサイドキー１０を所定期間押し続けることによっても起動することができる。
【００２９】
なお、上記に述べた動作は、カメラ３によって静止画を撮影するときだけでなく、動画を撮影するときも利用することができる。
【００３０】
また、本発明を適用した折り畳み型携帯電話機は、ＬＣＤ表示部６を回動させ図３の状態のまま上部筐体１と下部筐体２を折り畳むことも可能である。ＬＣＤ表示部６が回動されたまま、上部筐体１と下部筐体２が折り畳まれた場合、ＬＣＤ表示部６の画像の表示は維持され、ＯＦＦとされない。したがって、操作者は、上部筐体１と下部筐体２を折り畳んだ場合でも、ＬＣＤ表示部６を回動させておくことで、ＬＣＤ表示部６に表示される情報（日時、着信履歴等）を確認することができる。
【００３１】
また、本実施例においては、ＬＣＤ表示部６の図面（図１）に向かって右の辺に表示部ヒンジ７を設けたが、ＬＣＤ表示部６の他の辺に表示部ヒンジ７を設けることも可能である。
【００３２】
また、本実施例においては、上部筐体１とＬＣＤ表示部６との境界の図面（図１）に向かって左側に凹部を設けたが、表示部ヒンジ７が設けられていない他の境界に凹部を設けることも可能である。
【図面の簡単な説明】
【００３３】
【図１】本発明を適用した折り畳み型携帯電話機の概略を示す図である。
【図２】本発明を適用した折り畳み型携帯電話機のＬＣＤ表示部を回動させる様子を示す図である。
【図３】本発明を適用した折り畳み型携帯電話機のＬＣＤ表示部を回動させたときの背面を示す図である。
【図４】ＬＣＤ表示部を回動させた状態で画像を撮影する動作のフローチャートである。
【図５】本発明を適用した折り畳み型携帯電話機のＬＣＤ表示部を回動させたときの表面を示す図である。
【図６】本発明を適用した折り畳み型携帯電話機のＬＣＤ表示部を回動させるヒンジ部の拡大図である。
【符号の説明】
【００３４】
１    上部筐体
２    下部筐体
３    カメラ
４    ライト
５    カメラ表示画面
６    ＬＣＤ表示部
７    表示部ヒンジ
８    キー操作部
９    サイドキー
１０    検出スイッチ
【図１】
2005252343.tif 000003
【図２】
2005252343.tif 000004
【図３】
2005252343.tif 000005
【図４】
2005252343.tif 000006
【図５】
2005252343.tif 000007
【図６】
2005252343.tif 000008